(57)【要約】【課題】本発明は、移動用ロープが巻回ドラムの溝より離脱することなく、スムーズに移動でき、メンテナンス作業の少ないエンドレス方式のウインチを提供することを課題とする。【解決手段】駆動軸の設けられたウインチ本体と、前記駆動軸に取り付けられ、外周縁に沿ってネット等を移動する移動用ロープを巻回する溝の形成された巻回ドラムと、該巻回ドラムの溝に沿って移動用ロープを溝側に押圧する複数個のローラを連結して形成された押圧移動体から構成されたエンドレス方式のウインチにおいて、前記押圧移動体を形成するローラの全て又は一部、又は前記巻回ドラムには、巻回ドラムの溝より移動用ロープの離脱を防止するための防止体が設けられていることである。【選択図】図１
2015143153.tif 000002
【特許請求の範囲】
【請求項１】
駆動軸の設けられたウインチ本体と、前記駆動軸に取り付けられ、外周縁に沿ってネット等を移動する移動用ロープを巻回する溝の形成された巻回ドラムと、該巻回ドラムの溝に沿って移動用ロープを溝側に押圧する複数個のローラを連結して形成された押圧移動体から構成されたエンドレス方式のウインチにおいて、前記押圧移動体を形成するローラの全て又は一部、又は前記巻回ドラムには、巻回ドラムの溝より移動用ロープの離脱を防止するための防止体が設けられていることを特徴とするエンドレス方式のウインチ。
【請求項２】
駆動軸の設けられたウインチ本体と、前記駆動軸に取り付けられ、外周縁に沿ってネット等を移動する移動用ロープを巻回する溝の形成された巻回ドラムと、該巻回ドラムの溝に沿って移動用ロープを溝側に押圧する複数個のローラを連結して形成された押圧移動体から構成されたエンドレス方式のウインチにおいて、前記押圧移動体を形成するローラ及び巻回ドラムには、該巻回ドラムの溝より移動用ロープの離脱を防止するための防止体が設けられていることを特徴とするエンドレス方式のウインチ。
【発明の詳細な説明】
【発明の詳細な説明】
【技術分野】
【０００１】本発明は、例えば屋内空間の防球用、又は間仕切り用として使用するネットに連結した移動用ロープを移動するのに用いるエンドレス方式のウインチに関する。【０００２】従来、屋外空間部の防球用等のネットは、空間部の外周に沿って所望の間隔で複数本の支柱を立設し、該支柱の水平方向に沿ってエンドレス方式のウインチで移動する移動用ロープをエンドレス状に滑車を介して吊り張りし、該移動用ロープに並行に架け渡したガイド用ロープにネットの上端側に取り付けたリング等に挿通することで構成し、エンドレス方式のウインチを駆動して移動用ロープを移動して、支柱間に沿ってネットの吊り張りする。【０００３】また、屋内空間部に吊り張りする防球用ネットは、屋内空間部の使用目的に応じて空間部の外周、又は間仕切り用としてネットを吊り張りし、ネットの水平方向に沿って移動用ロープを吊り張りし、該移動用ロープをエンドレス方式のウインチで移動することでネットを吊り張りする。【０００４】上記エンドレス方式のウインチは、矩形状のウインチ本体と、該ウインチ本体に回転自在に軸支され、駆動源に連結された駆動軸と、該駆動軸に取り付けられ、外周縁に沿って溝の形成された円形状の巻回ドラムと、巻回ドラムの溝に沿って移動用ロープの取り入れ側より取り出し側の区間に取り付けられ複数個のローラを連結して形成されたた押圧移動体と、該押圧移動体の両端側に連結されたバネ等の弾性体と、前記移動用ロープを巻回ドラムの溝側へ取り入れ移動及び溝側よりの取り出し移動する一対の案内ローラから構成されている。【０００５】前記移動用ロープは、案内ローラで巻回ドラムの一方の溝側に取り入れられ溝に沿って押圧移動体のローラで押圧された状態で溝に巻回された後、他方の溝側より案内ローラを介して取り出し移動する。
【発明が解決しようとする課題】
【０００６】しかしながら、上記移動用ロープは、通常巻回ドラムの略Ｖ字状の溝に下半分を設置し、押圧移動体のローラの円弧部分で上半分を押圧することで、溝に沿って移動しているが、前記移動用ロープはネット等に連結しているために巻回ドラムへの取り入れ側と取り出し側とでは移動用ロープに係るテンションが相違し、弛み、撓み又は捩じれが発生し易く、その部分が溝部分より離脱することがあった。
【０００７】また、移動用ロープは、使用を繰り返すことで崩れが生じロープの断面が楕円形状に変形し、溝より離脱し易くなるという欠点があった。
【０００８】そこで、本発明は上記課題を解決するものであって、移動用ロープが巻回ドラムの溝より離脱することなく、スムーズに移動でき、メンテナンスの少ないエンドレス方式のウインチを提供することを課題とするものである。
【課題を解決するための手段】
【０００９】上記課題を解決する本発明の解決手段としてのエンドレス方式のウインチは、請求項１に記載のように、駆動軸の設けられたウインチ本体と、前記駆動軸に取り付けられ、外周縁に沿ってネット等を移動する移動用ロープを巻回する溝の形成された巻回ドラムと、該巻回ドラムの溝に沿って移動用ロープを溝側に押圧する複数個のローラを連結して形成された押圧移動体から構成されたエンドレス方式のウインチにおいて、前記押圧移動体を形成するローラの全て又は一部、又は前記巻回ドラムには、巻回ドラムの溝より移動用ロープの離脱を防止するための防止体が設けられていることを特徴とする。
【００１０】また、上記課題を解決する他の解決手段としてのエンドレス方式のウインチは、請求項２に記載のように、駆動軸の設けられたウインチ本体と、該駆動軸に取り付けられ、外周縁に沿ってネット等を移動する移動用ロープを巻回する溝の形成された巻回ドラムと、該巻回ドラムの溝に沿って移動用ロープを溝側に押圧する複数個のローラを連結して形成された押圧移動体から構成されたエンドレス方式のウインチにおいて、前記押圧移動体を形成するローラ及び前記巻回ドラムには、該巻回ドラムの溝より移動用ロープの離脱を防止するための防止体が設けられていることを特徴とする。
【発明の作用効果】
【００１１】本発明のエンドレス方式のウインチの作用効果について説明する。
【００１２】先ず、請求項１に記載のエンドレス方式のウインチは、ウインチ本体の駆動軸を回転駆動し、該駆動軸に取り付けられた巻回ドラムを回転することで、該巻回ドラムの溝に沿って移動用ロープを移動する。
【００１３】前記移動用ロープは、下半分を巻回ドラムの溝に接し上半分を押圧移動体の押圧により、適切に位置することで巻回ドラムの回転運動が無駄なく伝達されスムーズに移動できる。
【００１４】上記移動用ロープに係るテンションの強弱により、移動用ロープに捩じれ等が発生し、該捩じれ部分の下半分が溝より離反するために溝より離脱し易くなるが、押圧移動体を形成するローラの全て、又は一部のローラには防止体が設けられているために、該防止体により移動用ロープが溝から離脱することなく移動することができる。
【００１５】このため、従来のように頻繁なメンテナンス作業を必要とすることなく連続した移動用ロープの移動を行うことができる。
【００１６】また、同様に巻回ドラムには防止体が設けられているために、該防止体により移動用ロープが溝から離脱することなく移動することができる。
【００１７】このため、押圧移動体による移動用ロープの押圧作用と独立して離脱の防止ができ、エンドレス方式のウインチの稼働時のトラブルの発生が少ない。
【００１８】次に、請求項２に記載のエンドレス方式のウインチは、請求項１と同様に移動用ロープを巻回ドラムの溝に下半分を位置し、上半分を押圧移動体で押圧しながら移動する。
【００１９】この際、移動用ロープに係るテンションの強弱により、移動用ロープに捩じれ等が発生し、該捩じれ部分の下半分が溝より離反し、溝から離脱し易くなるが、押圧移動体を形成するローラ及び巻回ドラムには、防止体が設けられているために、該防止体により移動用ロープが溝から離脱することなく、スムーズに移動することができる。
【００２０】このように、本願発明のエンドレス方式のウインチは、移動用ロープに係るテンションの強弱に関わらず、溝から離脱することなくスムーズに移動することができる。
【００２１】また、防止体の構成が簡易であり、頻繁なメンテナンス作業を必要としない。
【００２２】防止体の取り付け位置が自在に設置でき、目的に応じた防止体を用いて確実に移動用ロープの離脱を防止できる。
【発明を実施するための最良の形態】
【００２３】次に、本発明のエンドレス方式のウインチについて図面を参照して説明する。【００２４】図１は本発明のエンドレス方式のウインチの第１実施例示す概略説明一部断面平面図であり、図２は図１のエンドレス方式のウインチの防止体を示す概略説明一部断面側面図であり、図３、図４、図５、図６、図７、図８、図９及び図１０は防止体の他実施例を示す概略説明一部断面側面図である。【００２５】本発明のエンドレス方式のウインチ１は、矩形状のウインチ本体２と、該ウインチ本体２に回転自在に軸支し、駆動源（図示せず）により回転駆動する駆動軸３と、該駆動軸３に取り付けられた円形状の巻回ドラム４と、該巻回ドラム４の外周縁に沿って形成された断面略Ｖ字状の溝５と、該溝５に巻回した移動用ロープ１０の取り入れ側より取り出し側に沿って設けられ、両端側に連結した弾性体６により張設された押圧移動体７から構成されている。【００２６】前記押圧移動体７は、回転軸８Ａに回転自在に軸支したローラ８を連結板８Ｂを介して複数個連結して形成され、且つ各ローラ８の両側面８Ｃ側には、前記溝５の外側で駆動軸３側に延出して円板状に形成された防止体９が前記回転軸８Ａに回転自在に軸支されている。【００２７】これにより、前記防止体９はローラ８と別々に回転するために、ローラ８による溝５側への移動用ロープ１０の押圧と、防止体９の移動用ロープ１０の溝５よりの離脱防止をそれぞれ独立して行うことができる。【００２８】即ち、移動用ロープ１０の下半分が位置する溝５部分からの離反をローラ８で移動用ロープ１０の上半分を押圧して押さえるとともに、移動用ロープ１０の左右方向へのずれは防止体９で防止することができる。【００２９】本願発明のエンドレス方式のウインチ１の構成は上記のように構成され、次に、該エンドレス方式のウインチ１を用いて移動用ロープ１０を移動する場合について説明する。【００３０】先ず、ウインチ本体２の駆動軸３に取り付けた巻回ドラム４の溝５に沿ってネット等（ネット、又はシート）に連結した移動用ロープ１０を巻回し、駆動源により駆動軸３を回転駆動して巻回ドラム４を回転する。【００３１】また、押圧移動体７は前記巻回ドラム４の回転方向に引っ張られた状態でその両端側を弾性体６で張設された状態となる。【００３２】この際、溝５の位置する移動用ロープ１０は下半分を溝５に設置し、上半分を溝５より突出し、突出している上半分は押圧移動体７を形成するローラ８により溝５側に押圧された状態となり、巻回ドラム４の回転に沿って無駄なく確実に移動することができる。【００３３】しかしながら、上記移動用ロープ１０は、ネット等に連結しているために、巻回ドラム４への移動用ロープ１０の取り入れ側と取り出し側とのテンションの強弱の相違により、前記移動用ロープ１０に弛み、撓み及び捩じれが発生し易く、例えば、移動用ロープ１０の捩じれ部分が、溝５に適切に設置されなくなり（移動用ロープ１０の下半分が溝５より離反）押圧移動体７の設置するローラ８部分が順次溝５より上方に持ち上がり、この結果ローラ８の押圧のみでは安定した溝５側への押圧ができず溝５より離脱し易くなるが、ローラ８の両側面８Ｃにはローラ８の回転軸８に回転自在に軸支した防止体９が設けられているために、移動用ロープ１０を包むように維持し、溝５より浮き上がった部分の左右方向への離脱も該防止体９により離脱を防止することができる。【００３４】しかも、防止体９はローラ８の回転軸８Ａに回転自在に軸支されているために、ローラ８の押圧と連動することなく、溝５に位置する移動用ロープ１０の左右方向への離脱防止のみを目的とすることができ、移動用ロープ１０の離脱を確実に防止できる。【００３５】また、エンドレス方式のウインチ１の設置位置が傾斜した位置であっても溝５より移動用ロープ１０が離脱することなく、移動でき、設置位置が限定されない利点がある。【００３６】また、移動用ロープ１０が摩耗し断面形状が変形しても上記と同様にローラ８の溝５側への押圧と防止体９の左右方向への離脱防止により移動用ロープ１０は溝５より離脱することなく、スムーズに移動することができる。【００３７】尚、上記実施例では、防止体８をローラ８の回転軸８Ａに回動自在に軸支することでローラ８と独立して回転できる構成としたが、本発明の防止体９の形成はこれに限定されるものでなく、例えば、ローラ８の側面８Ｃを駆動軸３側に延出することで、ローラ８と一体的に形成することも可能である。この場合、ローラ８と一体的に回転するために移動用ロープ１０への押圧と離脱防止を同期して行うことができる。【００３８】また、上記実施例では、ローラ８の両側面に防止体９を取り付けたが、本願発明において防止体９の取り付けはこれに限定されるものでなく、例えば、溝５のウインチ本体２と反対側のみに防止体９を取り付けることも可能である。この場合、防止体９の形成が容易である。【００３９】また、上記実施例では、押圧移動体７を形成するローラ８全てに防止体９を設けたが、本発明においてローラ８全てに防止体９を設けることは必須の構成ではなく、例えば、両端部ローラ８のみに防止体９を設けることも可能であり、所望の間隔をあけて防止体９を設けることも可能である。移動用ロープ１０に係るテンションの強弱に応じて自在に設定できる。【００４０】更に、上記実施例では、防止体９はローラ８の側面に形成したが、本発明において、防止体９の形成はこれに限定されるものでなく、巻回ドラム４の駆動軸３に回転自在の円板状の板体を取り付けて形成することも可能である。この場合、防止体９の取り換え作業がローラ８に形成する場合に比し、容易である。【００４１】また、上記実施例では、防止体９はローラ８の側面に形成したが、本発明において、防止体９の形成はこれに限定されるものでなく、巻回ドラム４の駆動軸３に回転自在で且つローラ８の回転軸８Ａに回転自在に取り付けることで形成することも可能である。特に、駆動軸３で対抗するローラ８間を防止体９で直線状に連結することで、押圧移動体７の移動を補助しながら移動用ロープ１０の離脱を防止することができ、また、押圧移動体７を形成するローラ８のうち両端側のローラ８と駆動軸３を略Ｖ字状の防止体９で連結することで、巻回ドラム４の溝５への移動用ロープ１０の取り入れ部分、及び溝５からの移動用ロープ１０の取り出し部分の移動をスムーズに移動することができる。【００４２】また、上記実施例では、巻回ドラム４の溝５は単数であったが、２以上の複数の溝５が形成された巻回ドラム４の場合であっても防止体９を用いて移動用ロープ１０の離脱を防止することができる。【００４３】更に、上記実施例では、巻回ドラム４は１台を設置したが、２台等をウインチ本体２に取り付け、各巻回ドラム４に設けられた押圧移動体７を形成するローラ８にそれぞれ防止体９を取り付けることも可能である。
【図面の簡単な説明】
【００４４】
【図１】本発明のエンドレス方式のウインチを示す概略説明一部断面平面図
【図２】図１のエンドレス方式のウインチの防止体を示す概略説明一部断面側面図
【図３】本発明のエンドレス方式のウイチの防止体の他実施例を示す概略説明一部断面側面図
【図４】本発明のエンドレス方式のウインチの防止体の他実施例を示す概略説明一部断面側面図
【図５】本発明のエンドレス方式のウインチの防止体の他実施例を示す概略説明一部断面側面図
【図６】本発明のエンドレス方式のウインチの防止体の他実施例を示す概略説明一部断面側面図
【図７】本発明のエンドレス方式のウインチの防止体の他実施例を示す概略説明平面図
【図８】本発明のエンドレス方式のウインチの防止体の他実施例を示す概略説明平面図
【図９】本発明のエンドレス方式のウインチの防止体の他実施例を示す概略説一部断面側面図
【図１０】本発明のエンドレス方式のウインチの防止体の他実施例を示す概略説明平面図
【符号の説明】
【００４５】１−エンドレス方式のウインチ、２−ウインチ本体、３−駆動軸、４−巻回ドラム、５−溝、１０−移動用ロープ
【図１】
2015143153.tif 000003
【図２】
2015143153.tif 000004
【図３】
2015143153.tif 000005
【図４】
2015143153.tif 000006
【図５】
2015143153.tif 000007
【図６】
2015143153.tif 000008
【図７】
2015143153.tif 000009
【図８】
2015143153.tif 000010
【図９】
2015143153.tif 000011
【図１０】
2015143153.tif 000012